【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
少なくとも１つのネットワーク制御モードでの動作において、移動局が現在の割当てられているセルが、第１のタイプのブロードキャスト制御チャネルを有しているかどうかを移動局において判定することと、
前記セルが前記第１のタイプのブロードキャスト制御チャネルを有していれば、前記第１のタイプのブロードキャスト制御チャネルから受信したリストの中で特定された近傍セルに関するレポートを行うためのパケット測定レポートメッセージをネットワークへ送信することと、
前記セルが前記第１のタイプのブロードキャスト制御チャネルを有していなければ、第２のタイプのブロードキャスト制御チャネルから受信したリストの中で特定された近傍セルに関するレポートを行うためのパケット測定レポートメッセージを前記ネットワークへ送信することと、
を含む方法であって、上記リストのタイプが、前記パケット測定レポートメッセージが暗黙裡に指定したものであるか、前記パケット測定レポートメッセージが明示的に指定したものであるかのいずれか一方である、方法。
【請求項２】
前記リストのタイプをデフォルトで含む前記パケット測定レポートメッセージの旧バージョンのフォーマットで前記メッセージを送信することよって、前記パケット測定レポートメッセージが前記リストを暗黙裡に指定する請求項１に記載の方法。
【請求項３】
ブロードキャスト制御チャネルから得られるブロードキャスト制御チャネル割り当てＢＡ（ＧＰＲＳ）を含むＧＰＲＳリリース１９９７フォーマットで前記パケット測定レポートメッセージを送信する請求項２に記載の方法。
【請求項４】
前記パケット測定レポートメッセージのフィールドによる前記パケット測定レポートメッセージが前記リストを明示的に指定する請求項１に記載の方法。
【請求項５】
前記フィールドが、前記パケット測定レポートがブロードキャスト制御チャネル割り当てに基づくものであるか、ブロードキャスト制御チャネルから得られるＧＳＭ近傍セルリストに基づくものであるかを指定するための１ビットフィールドである請求項４に記載の方法。
【請求項６】
前記第１のタイプのブロードキャスト制御チャネルが前記セル内に存在していない場合にのみ、前記１ビットフィールドを前記パケット測定レポートメッセージに追加する請求項５に記載の方法。
【請求項７】
前記第１のタイプのブロードキャスト制御チャネルがパケットブロードキャスト制御チャネルであり、前記パケットブロードキャスト制御チャネルが前記セル内に存在していない場合にのみ、前記１ビットフィールドを前記パケット測定レポートメッセージに追加する請求項１に記載の方法。
【請求項８】
有形のコンピュータ可読媒体に具現化されたプログラムプログラムであって、コンピュータに前記方法を実行させるプログラム命令を有するコンピュータプログラムを備えた請求項１に記載の方法。
【請求項９】
処理装置を、
・  セルの測定結果をネットワークへ報告するネットワーク制御モードで動作中の移動局に応答して、前記移動局の現在の割当て先セルがパケットブロードキャスト制御チャネルを有しているかどうかを判定する手段；
・  前記セルが前記パケットブロードキャスト制御チャネルを有している旨の判定に応じて、前記パケットブロードキャスト制御チャネルから受信したＧＳＭ近傍セルリストの中で特定された近傍セルに関するレポートを行うためのパケット測定レポートメッセージを前記ネットワークへ送信し、前記セルが前記パケットブロードキャスト制御チャネルを有していない旨の判定に応じて、前記移動局がブロードキャスト制御チャネルから前記ＧＳＭ近傍セルリストを取得する前であればブロードキャスト制御チャネル割り当て（ＧＰＲＳ）において初めに特定された近傍セルに関するレポートを、前記移動局が前記ブロードキャスト制御チャネルから前記ＧＳＭ近傍セルリストを取得した後であれば該ＧＳＭ近傍セルリストで特定された近傍セルに関するレポートを行うためのパケット測定レポートメッセージを前記ネットワークへ送信する手段；
として動作させ、ここで前記移動局が使用中のリストのタイプが前記パケット測定レポートメッセージによって暗黙裡に指定される、コンピュータプログラム。
【請求項１０】
前記ブロードキャスト制御チャネル割り当ての使用をデフォルトで含む前記パケット測定レポートメッセージの旧バージョンと互換性のあるフォーマットで前記メッセージを送信することによって、前記パケット測定レポートメッセージが前記リストを暗黙裡に指定する請求項９に記載のコンピュータプログラム。
【請求項１１】
リリース９９拡張版（'リリース９９'での追加）を含まないように前記ＭＳが前記メッセージを送信することによって、前記パケット測定レポートメッセージが前記リストを暗黙裡に指定する請求項９に記載のコンピュータプログラム。
【請求項１２】
ＧＰＲＳリリース１９９７フォーマットで前記パケット測定レポートメッセージを送信する請求項１１に記載のコンピュータプログラム。
【請求項１３】
処理装置を、
・  セルの測定結果をネットワークへ報告するネットワーク制御モードで動作中の移動局に応答して、前記移動局の現在の割当て先セルがパケットブロードキャスト制御チャネルを有しているかどうかを判定する手段；
・  前記セルが前記パケットブロードキャスト制御チャネルを有している旨の判定に応答して、前記パケットブロードキャスト制御チャネルから受信したＧＳＭ近傍セルリストの中で特定された近傍セルに関するレポートを行うためのパケット測定レポートメッセージを前記ネットワークへ送信し、前記セルが前記パケットブロードキャスト制御チャネルを有していない旨の判定に応答して、前記パケット測定レポートメッセージで明示的に指定されたリストの中で特定された近傍セルに関するレポートを行うためのパケット測定レポートメッセージを前記ネットワークへ送信する手段；
として動作させるためのコンピュータ命令を有するコンピュータプログラム。
【請求項１４】
前記パケット測定レポートメッセージのフィールドによる前記パケット測定レポートメッセージが前記リストを明示的に指定する請求項１３に記載のコンピュータプログラム。
【請求項１５】
前記フィールドが、前記パケット測定レポートがブロードキャスト制御チャネル割り当てに基づくものであるか、ブロードキャスト制御チャネルから受信したＧＳＭ近傍セルリストに基づくものであるかを指定するための１ビットフィールドである請求項１４に記載のコンピュータプログラム。
【請求項１６】
前記パケットブロードキャスト制御チャネルが前記セル内に存在していない場合にのみ、前記１ビットフィールドを前記パケット測定レポートメッセージに追加する請求項１５に記載のコンピュータプログラム。
【請求項１７】
無線周波数送受信機及びコントローラを備える装置であって、該コントローラが、
・  前記装置の現在の割当て先セルがパケットブロードキャスト制御チャネルを有しているかどうかを判定するために、少なくとも１つのネットワーク制御モードで動作し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信し、
・  前記セルが前記パケットブロードキャスト制御チャネルを有していないという条件に応じて、ブロードキャスト制御チャネルから前記送受信装置を介して前記ＧＳＭ近傍セルリストを受信したかどうかを判定し、
・  該ＧＳＭ近傍セルリストが受信されていた場合には、使用されたリストを暗黙裡又は明示的のいずれかで示しながら、前記ブロードキャスト制御チャネルから受信した前記ＧＳＭ近傍セルリストの中で特定された近傍セルに関するレポートを行うためのパケット測定レポートメッセージを前記ネットワークへ送信し、
・  前記ＧＳＭ近傍セルリストが受信されていなかった場合には、使用されたリストを暗黙裡又は明示的のいずれかで示しながら、前記ブロードキャスト制御チャネルから受信したブロードキャスト制御チャネル割り当て（ＧＰＲＳ）で特定された近傍セルに関するレポートを行うためのパケット測定レポートメッセージを前記ネットワークへ送信する、
ように構成される、装置。
【請求項１８】
前記ネットワーク制御モードがＮＣ２である請求項１７に記載の装置。
【請求項１９】
前記ネットワーク制御モードがＮＣ１である請求項１７に記載の装置。
【請求項２０】
前記パケット測定レポートメッセージ内のNC_MEAS_LIST_TYPEビットの状態によって前記リストが明示的に信号化される請求項１７に記載の装置。
【請求項２１】
少なくとも１つのネットワーク制御モードでの動作において、移動局が現在の割当てられているセルが第１のタイプのブロードキャスト制御チャネルを有しているかどうかを移動局において判定することと、
前記セルが前記第１のタイプのブロードキャスト制御チャネルを有していれば、前記第１のタイプのブロードキャスト制御チャネルから受信したリストの中で特定された近傍セルに関するレポートを行うためのパケット測定レポートメッセージをネットワークへ送信することと、
前記セルが前記第１のタイプのブロードキャスト制御チャネルを有していなければ、第２のタイプのブロードキャスト制御チャネルから受信したリスト中で特定された近傍セルに関するレポートを行うためのパケット測定レポートメッセージを前記ネットワークへ送信することと、
を含む方法であって、前記パケット測定レポートメッセージが前記リストのタイプを暗黙裡に指定する、方法。
【請求項２２】
前記リストのタイプをデフォルトで含む前記パケット測定レポートメッセージの旧バージョンのフォーマットで前記パケット測定レポートメッセージを送信することにより、該メッセージによって前記リストが暗黙裡に指定される請求項２１に記載の方法。
【請求項２３】
ブロードキャスト制御チャネルから得られるブロードキャスト制御チャネル割り当てを含むＧＰＲＳリリース１９９７フォーマットで前記パケット測定レポートメッセージが送信される請求項２２に記載の方法。
【請求項２４】
前記第１のタイプのブロードキャスト制御チャネルがパケットブロードキャスト制御チャネルであり、前記パケットブロードキャスト制御チャネルが前記セル内に存在していない場合にのみ、前記１ビットフィールドを前記パケット測定レポートメッセージに追加する請求項２１に記載の方法。
【請求項２５】
有形のコンピュータ可読媒体に具現化されたコンピュータプログラムであって、コンピュータに前記方法を実行させるプログラム命令を有するプログラムプログラムを備えた請求項２１に記載の方法。
【請求項２６】
移動局の現在の割当て先セルがパケットブロードキャスト制御チャネルを有しているかどうかを判定し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信し、
前記セルが前記パケットブロードキャスト制御チャネルを有していない場合には、その間、ブロードキャスト制御チャネルから前記送受信装置を介して前記ＧＳＭ近傍セルリストが受信されたかどうかを判定し、
該ＧＳＭ近傍セルリストが受信されていた場合には、前記ＢＣＣＨから受信した前記ＧＳＭ近傍セルリストの中で特定された近傍セルに関するレポートを行うためのパケット測定レポートメッセージを前記ネットワークへ送信し、
前記ブロードキャスト制御チャネルから前記送受信装置を介して前記ＧＳＭ近傍セルリストがまだ完全に受信されていない場合には、前記ブロードキャスト制御チャネルから受信したブロードキャスト制御チャネル割り当て（ＧＰＲＳ）の中で特定された近傍セルに関するレポートを行うためのパケット測定レポートメッセージを前記ネットワークへ送信する、
方法。
【請求項２７】
処理手段を、
移動局の現在の割当て先セルがパケットブロードキャスト制御チャネルを有しているかどうかを判定し、前記セルが前記パケットブロードキャスト制御チャネルを有している場合には、前記パケットブロードキャスト制御チャネルから受信したＧＳＭ近傍セルリストを使用してパケット測定レポートメッセージを生成する手段；
前記セルが前記パケットブロードキャスト制御チャネルを有していなければ、前記ＧＳＭ近傍セルリストがブロードキャスト制御チャネルから取得されたかどうかを判定し、前記ＧＳＭ近傍セルリストがブロードキャスト制御チャネルから取得されていた場合には、前記パケット測定レポートメッセージを生成するために前記取得したＧＳＭ近傍セルリストを利用する手段；
一方、前記ＧＳＭ近傍セルリストが前記ブロードキャスト制御チャネルから取得されていなかった場合には、前記パケット測定レポートメッセージを生成するために前記ブロードキャスト制御チャネルから受信したブロードキャスト制御チャネル割り当て（ＧＰＲＳ）を利用する手段；
として動作させるためのコンピュータ命令を備えたコンピュータプログラム。
【請求項２８】
移動局である、請求項１７に記載の装置。
【請求項２９】
第１のタイプのブロードキャスト制御チャネルの存在の有無を判定することと、
前記第１のタイプのブロードキャスト制御チャネルが存在している場合、第１のタイプのサービスに関連した近傍リストに基づいてパケット測定レポートメッセージを送信することと、
前記第１のタイプのブロードキャスト制御チャネルが存在していない場合、前記第１のタイプのサービスに関連した前記近傍リストが既に受信されているか否かを判定することと、
前記第１のタイプのサービスに関連した前記近傍リストが既に受信されていると判定された場合に、前記第１のタイプのサービスに関連した前記近傍リストに基づいて前記パケット測定レポートメッセージを送信することと、
まだ受信されていないと判断された場合に、第２のタイプのサービスに関連した近傍リストに基づいて前記パケット測定レポートメッセージを送信することと、
を含む、方法。
【請求項３０】
ある標準の以前のリリースに従う近傍リストが、該標準の現在のリリースによって認識される、請求項２９に記載の方法。
【請求項３１】
前記近傍リストのタイプは、前記パケット測定レポートによって暗黙裡に又は明示的に特定される、請求項２９に記載の方法。
【請求項３２】
前記装置の現在の割当て先セルがパケットブロードキャスト制御チャネルを有しているかどうかを判定するために、少なくとも１つのネットワーク制御モードで動作し、前記セルが前記パケットブロードキャスト制御チャネルを有していれば、前記パケットブロードキャスト制御チャネルから受信したＧＳＭ近傍セルリストの中で特定された近傍セルに関するレポートを行うためのパケット測定レポートメッセージをネットワークへ送信し、
前記セルが前記パケットブロードキャスト制御チャネルを有していないという条件に応じて、ブロードキャスト制御チャネルから前記送受信装置を介して前記ＧＳＭ近傍セルリストを受信したかどうかを判定し、
該ＧＳＭ近傍セルリストが受信されていた場合には、使用されたリストを暗黙裡又は明示的のいずれかで示しながら、前記ブロードキャスト制御チャネルから受信した前記ＧＳＭ近傍セルリストの中で特定された近傍セルに関するレポートを行うためのパケット測定レポートメッセージを前記ネットワークへ送信し、
前記ＧＳＭ近傍セルリストが受信されていなかった場合には、使用されたリストを暗黙裡又は明示的のいずれかで示しながら、前記ブロードキャスト制御チャネルから受信したブロードキャスト制御チャネル割り当て（ＧＰＲＳ）で特定された近傍セルに関するレポートを行うためのパケット測定レポートメッセージを前記ネットワークへ送信する、
ように構成される、コントローラを備える装置。
【請求項３３】
前記コントローラがメモリに対してコンピュータ命令の読み出しや保存を行うように構成されている、請求項３２の装置。
【請求項３４】
前記コンピュータ命令は、前記コントローラで実行されると、前記セルがパケットブロードキャスト制御チャネルを有しているかどうかを判定し、パケット測定レポートを送信するように前記コントローラを動作させる、請求項３３に記載の装置。
【請求項３５】
前記コントローラが、ブロードキャスト制御チャネル割り当て表示パラメータが変わっていると、パケットブロードキャスト制御チャネルを有していないセルのために、ＧＳＭ近傍セルリストを再読み込み及び再構築するように構成される、請求項３２に記載の装置。
【請求項３６】
前記コントローラが、無線通信のための無線部と通信するように構成される、請求項３２に記載の装置。
【請求項３７】
前記無線部が無線周波数で動作しうる通信器を備える、請求項３６に記載の装置。